(57)【要約】【課題】  表面に図形や模様などを刺繍した生地であって、簡単に低コストで製作でき、しかも抗菌性やマイナスイオンを発生することが出来る刺繍生地の提供。【解決手段】  比較的太い紐２を用い、該紐２を生地１の表面に配置すると共に細い丈夫なミシンステッチ３にて縫い付け、しかも紐２には抗菌性やマイナスイオン発生機能などを備えている。【選択図】    図１
2006124867.tif 000002
【特許請求の範囲】
【請求項１】
表面に図形や模様などを刺繍した生地において、光触媒機能を備えた比較的太い紐を用い、該紐を生地表面に配置すると共に細い丈夫な糸にて縫い付けたことを特徴とする刺繍生地。
【請求項２】
表面に図形や模様などを刺繍した生地において、抗菌性機能を備えた比較的太い紐を用い、該紐を生地表面に配置すると共に細い丈夫な糸にて縫い付けたことを特徴とする刺繍生地。
【請求項３】
表面に図形や模様などを刺繍した生地において、マイナスイオン発生機能を備えた比較的太い紐を用い、該紐を生地表面に配置すると共に細い丈夫な糸にて縫い付けたことを特徴とする刺繍生地。
【請求項４】
表面に図形や模様などを刺繍した生地において、光が当たることで変色する機能を備えた比較的太い紐を用い、該紐を生地表面に配置すると共に細い丈夫な糸にて縫い付けたことを特徴とする刺繍生地。
【請求項５】
表面に図形や模様などを刺繍した生地において、香りを発する機能を備えた比較的太い紐を用い、該紐を生地表面に配置すると共に細い丈夫な糸にて縫い付けたことを特徴とする刺繍生地。                                                                       
【発明の詳細な説明】
【技術分野】
【０００１】
本発明は各種糸を生地面に縫付けてデザインを施した刺繍生地に関するものである。
【背景技術】
【０００２】
刺繍とは生地に糸で模様や図形を縫製したものであり、糸の縫い方は色々存在する。用途としては、敷物、緞帳、壁掛け、テーブルクロス、衣服など多くの布製品に適用されて、該製品に高級観をもたらしている。ところで、代表的な刺繍縫いとしては、「平縫い」、「割縫い」、「けし縫い」、「匹田縫い」、「すが縫い」が知られ、このような縫い方を色々組み合せて多種多様な刺繍模様が形成されている。勿論、最近ではコンピュータにて制御され、細かい模様や図形が比較的簡単に、しかも短時間で刺繍することが可能と成っている。
【０００３】
しかし、上記「平縫い」、「割縫い」、「けし縫い」、「匹田縫い」、「すが縫い」にて刺繍した模様や図形は比較的平面的であり、立体模様を形成するには多くの糸が必要であると共に刺繍時間がかかる。勿論、刺繍コストは必然的に高くなる。一方、刺繍に使用される刺繍糸の太さは刺繍機械によって限定され、又伸縮性も制約されている為に、あらゆる糸が対象になるものではない。
【０００４】
ところで、生地に刺繍する方法には色々あり、例えば特開２０００−６４１８３号に係る「刺繍方法」は、生地の表面の少なくとも一部にマスク材を載置するマスク材載置工程と、マスク材載置工程においてマスク材が載置された生地に、刺繍が施されるべき部分と刺繍が施されるべきでない部分との境界を表す輪郭刺繍を施す輪郭刺繍工程と、輪郭刺繍工程において輪郭刺繍が施された後に、刺繍が施されるべき部分に存するマスク材を除去する第１のマスク材除去工程と、第１のマスク材除去工程においてマスク材が除去された刺繍がされるべき部分に刺繍を施す刺繍工程と、刺繍工程において生地に刺繍が施された後に、当該刺繍を着色する着色工程と、着色工程において刺繍を着色した後に、刺繍が施されない部分からマスク材を除去する第２のマスク材除去工程とを備えて構成している。
【０００５】
特開平７−３６０９号に係る「刺繍方法」は、独立して形成した刺繍模様を正確に重ねられ、しかも、下層の刺繍が上層の糸によって押し潰されることはなく、刺繍のボリューム感がそのまま残存するため、刺繍に立体感を持たせることが出来る。
【０００６】
特開２００２−２３８７１５号に係る「マイナスイオン放射、遠赤外線放射、ホルムアルデヒド除去、有害物質除去、殺菌、刺繍入り枕の製造方法」は、枕を使う間に安らかに眠りに入り易くする為に、また、枕を使う間に雰囲気をよくする為に、枕カバー、枕生地、ワッペンなどに好み合った刺繍をする。また、夜の雰囲気を良くする枕として夜光性刺繍をし、刺繍糸は好みにあった糸を使い、枕の大、中、小枕として雰囲気を持たせている。
【特許文献１】特開２０００−６４１８３号に係る「刺繍方法」
【特許文献２】特開平７−３６０９号に係る「刺繍方法」
【特許文献３】特開２００２−２３８７１５号に係る「マイナスイオン放射、遠赤外線放射、ホルムアルデヒド除去、有害物質除去、殺菌、刺繍入り枕の製造方法」
【発明の開示】
【発明が解決しようとする課題】
【０００７】
このように刺繍方法は色々あるが、その製作には時間がかかり、コストは高くなる。本発明は至って簡単に刺繍することが出来ると共に、各種の機能及び作用を備えた糸を使うことで、単なるデザイン・装飾としての刺繍に限らず、実用的用途にも使用できる刺繍生地を提供する。
【課題を解決するための手段】
【０００８】
本発明に係る刺繍生地は紐を生地に縫付けて構成している。ここで、紐は広く解すものとし、組み紐、リボン、毛糸、コードなども含められる。上記紐を適度に湾曲することで模様を形成したり、図形を形成したり、又は文字を形成することが出来、湾曲して模様などを形成した紐は、細くて丈夫な糸にて生地に縫付けられる。
【０００９】
ところで、上記紐の種類は色々あって限定されず、また紐は各種機能を備えている。例えば、光触媒の機能を備えた紐、抗菌性の紐、マイナスイオンを発生する紐、光が当たることで変色する紐、香りがする紐などが主なものである。従って、該紐を使用して刺繍するならば、刺繍された生地は紐と同じ機能を備えることが出来る。
【発明の効果】
【００１０】
本発明に係る刺繍生地は、紐を各種形状の模様や図形、又は文字を模って細い糸で生地に縫い付けたものである。従って、従来のように細い糸を刺繍して図形や模様を模る場合に比較して簡単であり、短時間で製作することが可能である。その為に、製作コストは格段に安くなる。一方、刺繍用として使われる紐は、比較的太い為に、生地面から盛り上がって立体感のある模様や図形が形成される。
【００１１】
そして、該紐は光触媒機能、抗菌機能、マイナスイオン発生機能などを備えることが出来、その為に刺繍される紐を選択することで、用途に応じた刺繍生地が出来上がる。すなわち、刺繍にて装飾された生地になると共に、該紐によって各種機能を備えた生地が得られる。
【実施例】
【００１２】
図１は本発明に係る刺繍生地を表す実施例である。同図の１は生地、２は紐、３はミシンステッチを表している。同図に示す刺繍は複数本の紐３，３・・が等間隔で平行に配列され、その位置からズレないように上記ミシンステッチ３，３・・にて縫い付けられている。ここで、該紐２はミシンステッチ３に比較して太く、生地１の表面から大きく盛り上がって配列されることになる。
【００１３】
図２は紐２が縫い付けられている部分の断面拡大図を図案化して表したものである。このように、比較的太い紐２は生地１の表面に配置されて、ミシンステッチ２にて縫い付けされるが、生地１の下面には下ミシンステッチ３ｂが設けられ、該下ミシンステッチ３ｂと上ミシンステッチ３ａが絡み合って上記紐２を縫い付けしている。
【００１４】
ところで、該紐２は単に太いだけでなく、各種機能を備えて構成した紐である。例えば、抗菌性の紐、マイナスイオンを発生する紐、光が当たることで変色する紐、香りがする紐、光触媒機能を有す紐など、色々な機能性紐を使用することが出来る。該紐２は紐単独で製作されるが、この紐２を用いて生地１に刺繍するならば、生地自体が紐２と同じ機能を備えることになる。
【００１５】
勿論、生地１を構成する糸として、上記機能を備えたものを使用して織編することは可能であるが、特別な機能を備えない一般的な生地に所定の機能を有す紐を刺繍することで生地自体に同じ機能を具備させることが出来る。従って、生地１は汎用性のある一般的なものでよく、必要に応じて紐２を刺繍することで要求される機能を生地に具備させることが出来る。
【００１６】
そして、紐２を刺繍することで、単なる生地ではなく、刺繍にて装飾された生地となり、装飾と機能を両立させ、しかも製作コストは格段に安くなる。例えば、生地１に抗菌機能を備える場合には、抗菌性の紐２を用いて刺繍すればよく、生地１からマイナスイオンを発生させるには、マイナスイオンが発生する紐２を使用して刺繍する。
【００１７】
図１に示した生地１には複数本の紐２，２・・が一定間隔で平行に配列した状態である。勿論、この配列形態が生地１を装飾することに成るが、該紐２は直線として配列する場合に限らず、湾曲した図形や模様を形成することが出来る。例えば、複数本の紐２，２・・を図案化したり、模様として構成したりすることが出来、しかも、各紐２，２・・ごとに備える機能を異ならしめることが可能である。
【００１８】
図３は本発明の他の実施例であり、紐２は前記実施例のような直線配列形態ではなく、湾曲した花柄模様を形成している。湾曲した紐２は生地１からズレないようにミシンステッチ３によって縫い付けられている。同図の花柄模様は１本の連続した紐２によって構成されているが、色彩や機能を異にする複数本の紐２，２・・を用いることは自由である。
【００１９】
そして、このような湾曲した花柄模様を生地１に縫付ける方法に関しては特に限定しないが、コンピュータにより紐２の位置を制御し、同時にミシンステッチにて縫付けることが出来る。
【図面の簡単な説明】
【００２０】
【図１】本発明に係る刺繍生地を示す実施例。
【図２】図１の断面拡大図。
【図３】本発明に係る刺繍生地の他の実施例。
【符号の説明】
【００２１】
１  生地
２  紐
３  ミシンステッチ
【図１】
2006124867.tif 000003
【図２】
2006124867.tif 000004
【図３】
2006124867.tif 000005